【手続補正書】
【提出日】平成16年2月27日(2004.2.27)
【手続補正１】
【補正対象書類名】明細書
【補正対象項目名】特許請求の範囲
【補正方法】変更
【補正の内容】
【特許請求の範囲】
【請求項１】
ディジタル放送から番組の属性を示す属性情報と当該番組の番組情報を受信する受信手段と、
記録すべき番組のもつ属性として指定された属性を属性指定情報として記憶する記録属性記憶手段と、
前記受信手段によって受信された番組情報の中から、前記記録属性記憶手段に記憶された属性指定情報と一致する属性を示す属性情報に対応する番組情報を選別する選別手段と、
前記選別手段によって選別された番組情報を各々の属性情報と対応づけて記憶する記憶手段と
を具備することを特徴とする番組情報記録装置。
【請求項２】
請求項１記載の番組情報記録装置において、さらに、
指定された属性の重要度に関する情報を記憶する重要度記憶手段と、
前記記憶手段の記憶領域の残量が所定量以下になると、前記重要度記憶手段に記憶された属性の重要度に関する情報と前記記憶手段に対応付けて記憶された属性情報および番組情報に基づき、前記記憶手段に記憶された番組情報のうち重要度の低い番組情報を選択し、該選択した番組情報を削除する記憶管理手段と
を具備することを特徴とする番組情報記録装置。
【請求項３】
請求項１記載の番組情報記録装置において、さらに、
前記記憶手段に番組情報を書き込むときの時刻の順序関係を示す情報を該番組情報と対応づけて該記憶手段に書き込む時刻情報記録手段を具備することを特徴とする番組情報記録装置。
【請求項４】
請求項３記載の番組情報記録装置において、さらに、
前記記憶手段の記憶領域の残量が所定量以下になると、各番組情報と対応づけて記憶された時刻の順序関係を示す情報を参照し、該記憶手段に書き込まれた時刻が古い番組情報を優先的に削除する記憶管理手段を具備することを特徴とする番組情報記録装置。
【請求項５】
請求項１ないし４記載の番組情報記録装置において、前記番組情報は、楽曲の演奏または歌唱を録音して得られる楽曲情報であることを特徴とする番組情報記録装置。
【請求項６】
再生すべき番組のもつ属性として指定された属性を属性指定情報として記憶する再生属性記憶手段と、
請求項１記載の番組情報記録装置における前記記憶手段に記憶された番組情報のうち前記再生属性記憶手段に記憶された属性指定情報と一致する属性を示す属性情報と対応づけて記憶された番組情報を再生する再生手段と
を具備することを特徴とする再生装置。
【請求項７】
請求項６記載の再生装置において、前記番組情報は、楽曲の演奏または歌唱を録音して得られる楽曲情報であるとともに、前記再生手段は、前記楽曲情報を順次再生することを特徴とする再生装置。
【請求項８】
請求項１記載の番組情報記録装置と、
前記番組情報記録装置における前記記憶手段に記憶された番組情報を再生する再生手段と
を具備することを特徴とする番組情報記録再生装置。
【請求項９】
請求項８記載の番組情報記録再生装置において、前記番組情報は、楽曲の演奏または歌唱を録音して得られる楽曲情報であるとともに、前記再生手段は、前記楽曲情報を再生することを特徴とする番組情報記録再生装置。
【手続補正２】
【補正対象書類名】明細書
【補正対象項目名】０００４
【補正方法】変更
【補正の内容】
【０００４】
この発明は、このような背景の下になされたもので、ディジタル放送により供給される数多くの番組の中から利用者が所望の番組を容易に選択しその内容を享受することができる番組情報記録装置及び再生装置を提供することを目的としている。


【手続補正３】
【補正対象書類名】明細書
【補正対象項目名】０００５
【補正方法】変更
【補正の内容】
【０００５】
【課題を解決するための手段】
上記課題を解決するため、この発明は、ディジタル放送から番組の属性を示す属性情報と当該番組の番組情報を受信する受信手段と、記録すべき番組のもつ属性として指定された属性を属性指定情報として記憶する記録属性記憶手段と、前記受信手段によって受信された番組情報の中から、前記記録属性記憶手段に記憶された属性指定情報と一致する属性を示す属性情報に対応する番組情報を選別する選別手段と、前記選別手段によって選別された番組情報を各々の属性情報と対応づけて記憶する記憶手段とを具備することを特徴とする番組情報記録装置を提供する。
他の好ましい態様において、番組情報記録装置は、さらに、前記記憶手段に番組情報を書き込むときの時刻の順序関係を示す情報を該番組情報と対応づけて該記憶手段に書き込む時刻情報記録手段を具備する。
この態様において、番組情報記録装置は、さらに、前記記憶手段の記憶領域の残量が所定量以下になると、各番組情報と対応づけて記憶された時刻の順序関係を示す情報を参照し、該記憶手段に書き込まれた時刻が古い番組情報を優先的に削除する記憶管理手段を具備してもよい。
また、以上の諸態様において、前記番組情報は、例えば楽曲の演奏または歌唱を録音して得られる楽曲情報である。
また、この発明は、再生すべき番組のもつ属性として指定された属性を属性指定情報として記憶する再生属性記憶手段と、既述の番組情報記録装置における前記記憶手段に記憶された番組情報のうち前記再生属性記憶手段に記憶された属性指定情報と一致する属性を示す属性情報と対応づけて記憶された番組情報を再生する再生手段とを具備することを特徴とする再生装置を提供する。
好ましい態様において、前記番組情報は、例えば楽曲の演奏または歌唱を録音して得られる楽曲情報であり、前記再生手段は、前記楽曲情報を順次再生する。
さらに、この発明は、前記番組情報記録装置と、前記番組情報記録装置における前記記憶手段に記憶された番組情報のうち前記再生属性記憶手段に記憶された番組情報を再生する再生手段とを具備することを特徴とする番組情報記録再生装置を提供する。
好ましい態様において、前記番組情報は、例えば楽曲の演奏または歌唱を録音して得られる楽曲情報であり、前記再生手段は、前記楽曲情報を順次再生する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００４１
【補正方法】変更
【補正の内容】
【００４１】
【発明の効果】
以上説明したように、この発明によれば、ディジタル放送により供給される数多くの番組の中から利用者が所望の番組を容易に選択しその内容を享受することができる（請求項１ないし９）。


【手続補正１１】
【補正対象書類名】明細書
【補正対象項目名】００４５
【補正方法】変更
【補正の内容】
【００４５】
また、この発明によれば、利用者は、特定の属性を有する楽曲情報を容易に選択し記録することができる（請求項５、７、９）。


【手続補正１２】
【補正対象書類名】明細書
【補正対象項目名】００４６
【補正方法】変更
【補正の内容】
【００４６】
また、この発明によれば、さらに、番組情報記録装置によって選択的に記録した楽曲情報を再生することができる（請求項６〜９）。